(57)【要約】【課題】従来から用いられている一端部が封止され他端部が開口し、開口部の幅方向の両端に手提げ用の一対の突出した部分が形成されたポリ袋であって、底部が大きな円筒状、角筒状物でも安定して収納できるポリ袋の提供。【解決手段】一端部が封止され他端部が開口し、開口部の幅方向の両端に手提げ用の一対の突出した部分が形成されたポリ袋において、幅方向の両側部が中側に折り込まれ、かつ両中央部のそれぞれが少なくとも一ヶ所中側に折り込まれ、前記一端部で融着封止されてなることを特徴とするポリ袋。【選択図】      図１
2004359247.tif 000002
【特許請求の範囲】
【請求項１】
一端部が封止され他端部が開口し、開口部の幅方向の両端に手提げ用の一対の突出した部分が形成されたポリ袋において、幅方向の両側部が中側に折り込まれ、かつ両中央部のそれぞれが少なくとも一ヶ所中側に折り込まれ、前記一端部で融着封止されてなることを特徴とするポリ袋。
【請求項２】
両中央部の折り込みが２ヶ所以上であることを特徴とする請求項１に記載のポリ袋。
【発明の詳細な説明】
【０００１】
【発明の属する技術分野】
本発明は、スーパー等において用いる商品を入れるポリ袋に関し、特に、袋底部面が円形または多角形の略平面底を有するように広がるポリ袋に関する。
【０００２】
【従来の技術】
従来、スーパーマーケット等で顧客に提供されているプラスチック製のポリ袋は、一端部が封止され他端部が開口し、開口部の幅方向の両端には手提げ用に一対の突き出した部分が形成され、幅方向の両側面が内部に折り込まれている。このようなポリ袋は、例えば、図７及び図８に示すポリ袋を挙げることができる。図７は、ポリ袋の平面図であり、図８は、図７のＹ−Ｙ’断面図である。図７及び８において、ポリ袋１は、封止部２、開口部３、手提げ部４、折り込み部５、５’を有し、商品等をその中に入れると、折り込み部５、５’の幅のみ広がった底部を有するポリ袋である。
【０００３】
一般に、このようなポリ袋は、ポリエチレン樹脂のような合成樹脂をインフレーション法により成形した円筒状フィルムから成形されている。すなわち、合成樹脂を加熱溶融し、円環状ダイより環状体として押し出すとともに、樹脂の環状体の内部に空気を吹き込み、これを膨張させ、合成樹脂の筒状フィルムを形成する。この後、両側面を内側に折り込ませて、シート状にしてロールに巻き取る。次いで、巻き取ったシートをロールより引き出し、シール器を備えたシール装置で所定間隔毎にシールし、さらに、裁断機でこれを手提げ部と、必要に応じて結び部を残して裁断し、ポリ袋を製作している。このような袋の使用に際しては、商品等の物品を袋の中に入れて、手提げ部分を持って持ち運びを行うが、袋の底部が両側の折り込み部分の幅にのみ広がるだけで、物品として円筒状物、底部の大きな角柱状物を収納すると、収まりが不安定になり、袋内でひっくり返ったりし、内容物がこぼれたりする等の問題点を有していた。
また、従来の袋では幅方向の両端を中側に折り込まれた幅のみの広がりであったためスーパーでの清算レジでは、清算された商品をいったん買い物カゴに移して精算後、更にポリ袋に入れ替えを行っていた。また更に、精算された商品をポリ袋に入れたにもかかわらず買い物カゴに精算商品入りポリ袋を入れ移動していたため買い物カゴの回収が必然とされており、スーパーの清算場所付近におけるスペースと時間を必要とし、混雑の原因となるといった問題を有していた。
【０００４】
【発明が解決しようとする課題】
本発明の目的は、上記問題点に鑑み、従来から用いられている一端部が封止され他端部が開口し、開口部の幅方向の両端に手提げ用の一対の突出した部分が形成されたポリ袋であって、底部が大きな円筒状物、角筒状物でも安定して収納できるポリ袋であり、かつスーパー等での清算処理を速やかに行うことのできるポリ袋を提供することにある。
【０００５】
【課題を解決するための手段】
本発明者は、上記課題を解決すべく鋭意検討した結果、円筒状フィルムから形成されるポリ袋において、少なくとも四方から折り込みを入れた部分を形成させることにより、袋底部面が円形または多角形の略平面底を有するように広がり、袋内に大きな底部を有する物品を収納しても、安定して収納できるポリ袋とすることができることを見出し本発明を完成させた。
【０００６】
すなわち、本発明の第１の発明によれば、一端部が封止され他端部が開口し、開口部の幅方向の両端に手提げ用の一対の突出した部分が形成されたポリ袋において、幅方向の両側部が中側に折り込まれ、かつ、両中央部のそれぞれが少なくとも一ヶ所中側に折り込まれ、前記一端部で融着封止されてなることを特徴とするポリ袋が提供される。
【０００７】
また、本発明の第２の発明によれば、第１の発明において、両中央部の折り込みが２ヶ所以上であることを特徴とするポリ袋が提供される。
【０００８】
【発明の実施の形態】
本発明を以下に詳細に図１〜６で説明する。
図１〜３は、本発明のポリ袋であって、折り込み部が４ヶ所からなるポリ袋を説明する図である。図１は、両中央部の折り込み部が、それぞれ１ヶ所であるポリ袋の折りたたまれた状態の平面図である。図１において、ポリ袋１は、熱融着封止部２、開口部３、手提げ部４、４’、両端折り込み部５、５’、中央折り込み部６、６’を有する。図２は、図１のＸ−Ｘの断面を内部の状態を説明するために、少し広げた状態の図である。図２において、ポリ袋１は、幅方向の両端部において、袋の内側への折り込み部５、５’を有し、幅方向の両中央部において袋の内側への折り込み部６、６’を有する。このように、折り込み部を４ヶ所にすることにより、底面は多角状に広がる。
なお、図３は、開口部に結び部７を設けた両中央部の折り込み部が、それぞれ１ヶ所であるポリ袋を広げた場合の状態の図であり、底面が広がった形状になる。
【０００９】
図４及び５は、本発明のポリ袋であって、折り込み部が６ヶ所からなるポリ袋を説明する図である。図４は、両中央部の折り込み部が、それぞれ２ヶ所であるポリ袋の折りたたまれた状態の平面図である。図４において、ポリ袋１は、熱融着封止部２、開口部３、手提げ部４、４’、両端折り込み部５、５’、中央折り込み部６、６’、結び部７を有する。図５は、図４のＸ−Ｘの断面を内部の状態を説明するために、少し広げた状態の図である。図５において、ポリ袋１は、幅方向の両端部において、袋の内側への折り込み部５、５’を有し、幅方向の両中央部において袋の内側への折り込み部６、６’及び６’’、６’’’を有する。このように、折り込み部を６ヶ所にすることにより、底面はより円形状に近い状態で広がる。
【００１０】
図６は、ポリ袋に大きな底部を有する円筒状物を収納した場合の使用状態の図である。ポリ袋１の底部８は、大きな底部を有する円筒状物１０の底部に応じて、両端折り込み部５、５’と中央折り込み部６、６’等が、左右前後に広がることにより円形状又は略多角形状に広がる。熱融着封止部２においては、全端部が重ねてシールされているため、容易に物品の底部に合わせた底面が形成される。
【００１１】
したがって、本発明のポリ袋を用いて、物品として円筒状物、底部の大きな角柱状物を収納する場合、物品の底部の大きさに底面が容易に形成され、物品の収まりが安定し、袋内でひっくり返ったり、内容物がこぼれたりすることがない。さらに、従来品に比べ、両中央部が１ヶ所以上折り込まれていることから、口開き性に優れ、取り扱いが容易であるという特徴を有する。また、袋自体がコンパクトに形成されているため、重ね合わせて多量に搬送し易いという特徴を有する。
【００１２】
本発明のポリ袋は、通常の円筒状フィルムから成形される両端のみに折り込みを入れるポリ袋の成形に際して中央部にも折り込みを入れる装置、すなわち、円筒状フィルムに四方以上から折り込みを入れるようにした装置によって製造することができる。
【００１３】
例えば、ポリエチレンなどの合成樹脂を加熱溶融し、円環状ダイよりポリエチレンの環状体として押し出すと共に、ポリエチレンの環状体の内部に空気を吹き込み、これを膨張させ、ポリエチレンの筒状フィルムを形成する。この後、四方以上から筒状フィルムの内側に折り込みを入れ、中央部の折り込み部を左右に振り分け、出口側ほど上下面の間隔が狭くなるように形成された成形機または型枠内を、ポリエチレン筒状フィルムを通過させ、内部に４箇所以上の折り込み部を有するシート状フィルムにしてロールに巻き取る。次いで、巻き取ったシート状フィルムをロールより引き出す。引き出したシート状フィルムを一対のシール器を備えたシール装置で所定間隔毎にシールする。さらに、裁断機でこれを手提げ部と、必要に応じて結び部を残した形状に裁断し、図１〜６に示す形状のポリ袋を製造することができる。
【００１４】
【発明の効果】
本発明のポリ袋は、物品として円筒状物、底部の大きな角柱状物を収納する場合、物品の底部の大きさに底面が容易に形成され、物品の収まりが安定し、袋内でひっくり返ったり、内容物がこぼれたりすることがない。さらに、従来品に比べ、中央部も折り込まれていることから、口開き性に優れ、取り扱いが容易であるという特徴を有する。また、袋自体がコンパクトに形成されているため、重ね合わせて多量に搬送し易いという特徴を有する。
さらに、スーパーでの清算レジでは、底部が広がり易いため、レジ係が商品を直接ポリ袋へ収納することができ、スーパーの清算場所付近におけるスペースと時間をセービングし、混雑の緩和をすることができる。
【図面の簡単な説明】
【図１】本発明のポリ袋の平面図である。
【図２】図１のＸ−Ｘ断面図である。
【図３】図１のポリ袋を広げた状態の図である。
【図４】本発明のポリ袋の平面図である。
【図５】図３のＸ−Ｘ断面図である。
【図６】本発明のポリ袋の使用状態の図である。
【図７】従来のポリ袋の平面図である。
【図８】図７のＹ−Ｙ’断面図である。
【符号の説明】
１  ポリ袋
２  熱融着封止部
３  開口部
４、４’  手提げ部
５、５’  側部折り込み部
６、６’  中央折り込み部
７  結び部
８  底部
１０物品
【図１】
2004359247.tif 000003
【図２】
2004359247.tif 000004
【図３】
2004359247.tif 000005
【図４】
2004359247.tif 000006
【図５】
2004359247.tif 000007
【図６】
2004359247.tif 000008
【図７】
2004359247.tif 000009
【図８】
2004359247.tif 000010